(57)【要約】【課題】複数のワイヤレス照度センサを用いても照明器具がちらつくことがない照明制御システムを提供することを目的とする。【解決手段】可視光通信機能を有し、自己のＩＤ情報を可視光通信で送出する照明器具３０と；可視光通信の信号を受信する受信部４２と、照度情報を検出するセンサ部４３と、無線信号を送信可能な送信部４４と、可視光通信の信号からＩＤ情報を取得するとともに、取得したＩＤ情報及び照度情報を含む情報信号を一定周期で送信する制御部４６とを有する複数のワイヤレス照度センサ４０と；伝送線２０を介して前記照明器具３０と接続されるとともに、前記ワイヤレス照度センサ４０から送信されたＩＤ情報及び照度情報を受信し、ワイヤレス照度センサ４０の送信周期以上の送信周期で、取得したＩＤ情報及び照度情報に基づき前記照明器具を制御する制御信号を送出する照明制御コントローラ１と；を具備したことを特徴とする。【選択図】図１
2010086686.tif 000002
【特許請求の範囲】
【請求項１】
可視光通信機能を有し、自己のＩＤ情報を可視光通信で送出する照明器具と；
可視光通信の信号を受信する受信部と、照度情報を検出するセンサ部と、無線信号を送信可能な送信部と、可視光通信の信号からＩＤ情報を取得するとともに、取得したＩＤ情報及び照度情報を含む情報信号を一定周期で送信する制御部とを有する複数のワイヤレス照度センサと；
伝送線を介して前記照明器具と接続されるとともに、前記ワイヤレス照度センサから送信されたＩＤ情報及び照度情報を受信し、ワイヤレス照度センサの送信周期以上の送信周期で、取得したＩＤ情報及び照度情報に基づき前記照明器具を制御する制御信号を送出する照明制御コントローラと；
を具備したことを特徴とする照明制御システム。
【請求項２】
可視光通信機能を有し、自己のＩＤ情報を可視光通信で送出する照明器具と；
自己の識別情報を有し、可視光通信の信号を受信する受信部と、照度情報を検出するセンサ部と、無線信号を送信可能な送信部と、可視光通信の信号からＩＤ情報を取得するとともに、取得したＩＤ情報、照度情報及び自己の識別情報を含む情報信号を一定周期で送信する制御部とを有する複数のワイヤレス照度センサと；
伝送線を介して前記照明器具と接続されるとともに、前記ワイヤレス照度センサから送信されたＩＤ情報、識別情報、照度情報を受信した周期によって、全てのワイヤレス照度センサからの信号を少なくとも１回は受信できる期間を決定し、決定された期間を送信周期として取得したＩＤ情報及び照度情報に基づき前記照明器具を制御する制御信号を送出する照明制御コントローラと；
を具備したことを特徴とする照明制御システム。
【請求項３】
前記照明制御コントローラは、同一の照明器具のＩＤ情報に対して異なる照度情報を受信したときは、照明制御コントローラの送信周期毎に一つのＩＤ情報に対して一つの制御信号を送出することを特徴とする請求項１または２に記載の照明制御システム。
【発明の詳細な説明】
【技術分野】
【０００１】
本発明は、ワイヤレス照度センサを用いた照明制御システムに関する。
【背景技術】
【０００２】
従来、ワイヤレス照度センサを用いて被照射面を目標照度となるように照明器具を調光制御することができる照明制御システムが知られている。（例えば、特許文献１参照）。
【特許文献１】特開２００３−１００４７０号公報
【発明の開示】
【発明が解決しようとする課題】
【０００３】
しかしながら、ワイヤレス照度センサが複数個ある場合、ワイヤレス照度センサの設置位置によっては検出値が異なることがあり、また各ワイヤレス照度センサに設定される目標照度値異なる場合には対象となる照明器具がちらつくという問題がある。
【０００４】
本願発明は、上記課題に鑑みなされたもので、複数のワイヤレス照度センサを用いても照明器具がちらつくことがない照明制御システムを提供することを目的とする。
【課題を解決するための手段】
【０００５】
本発明の請求項１に係る照明制御システムは、可視光通信機能を有し、自己のＩＤ情報を可視光通信で送出する照明器具と；可視光通信の信号を受信する受信部と、照度情報を検出するセンサ部と、無線信号を送信可能な送信部と、可視光通信の信号からＩＤ情報を取得するとともに、取得したＩＤ情報及び照度情報を含む情報信号を一定周期で送信する制御部とを有する複数のワイヤレス照度センサと；伝送線を介して前記照明器具と接続されるとともに、前記ワイヤレス照度センサから送信されたＩＤ情報及び照度情報を受信し、ワイヤレス照度センサの送信周期の２倍以上の送信周期で、取得したＩＤ情報及び照度情報に基づき前記照明器具を制御する制御信号を送出する照明制御コントローラと；を具備したことを特徴とする。
【０００６】
本発明の請求項２に係る照明制御システムは、可視光通信機能を有し、自己のＩＤ情報を可視光通信で送出する照明器具と；自己の識別情報を有し、可視光通信の信号を受信する受信部と、照度情報を検出するセンサ部と、無線信号を送信可能な送信部と、可視光通信の信号からＩＤ情報を取得するとともに、取得したＩＤ情報、照度情報及び自己の識別情報を含む情報信号を一定周期で送信する制御部とを有する複数のワイヤレス照度センサと；伝送線を介して前記照明器具と接続されるとともに、前記ワイヤレス照度センサから送信されたＩＤ情報、識別情報、照度情報を受信した周期によって、全てのワイヤレス照度センサからの信号を少なくとも１回は受信できる期間を決定し、決定された期間を送信周期として取得したＩＤ情報及び照度情報に基づき前記照明器具を制御する制御信号を送出する照明制御コントローラと；を具備したことを特徴とする。
【０００７】
本発明の請求項３に係る照明制御システムは、請求項１または２において前記照明制御コントローラは、同一の照明器具のＩＤ情報に対して異なる照度情報を受信したときは、照明制御コントローラの送信周期毎に一つのＩＤ情報に対して一つの制御信号を送出することを特徴とする。
【発明の効果】
【０００８】
請求項１の本発明によれば、照明制御コントローラは、各ワイヤレス照度センサの情報を取得してから制御信号を送出するので同一の制御対象となる照明器具がちらつくことがない。
請求項２の本発明によれば、照明制御コントローラの制御信号を送出する周期を設定することなく、各ワイヤレス照度センサの情報を取得することができる。
【０００９】
請求項３の本発明によれば、同一の照明器具のＩＤ情報に対して異なる照度情報を受信したときに一つの制御信号を送出するので制御対象となる照明器具がちらつくことがない。
【発明を実施するための最良の形態】
【００１０】
以下、図面を参照して本発明の実施の形態を説明する。
【００１１】
図１ないし図４は本発明の照明制御システムの第１の実施の形態に係り、図１は照明制御システムの全体的構成図、図２はワイヤレス照度センサの構成を示すブロック図、図３は照明コントローラの構成を示すブロック図、図４は照明器具の構成を示すブロック図である。
【００１２】
照明コントローラ１は、伝送線２０を介して複数の照明器具３０と接続され、伝送線２０を介して照明器具に制御信号を送出するとともにワイヤレス照度センサ４０と無線通信可能に構成されている。
【００１３】
照明器具３０は、制御端末器３１および光源３２で構成されている。制御端末器３１は伝送線２０から制御信号を受信して、この制御信号に従って光源３２を点灯制御する。また、照明器具３０には自己のＩＤ情報が記憶されており、制御端末器３１は光源３２を制御することによって自己のＩＤ情報を可視光通信信号として送信する可視光通信機能を有している。
【００１４】
ワイヤレス照度センサ４０は、自己の識別情報が記憶されるとともに、照明器具３０から送信された可視光通信の信号を受信可能に構成されており、受信した可視光通信信号からＩＤ情報を取得する。また、ワイヤレス照度センサ４０の設置位置における照度値を検出するとともに、取得したＩＤ情報、自己の識別情報、照度情報を無線通信によって一定周期で照明コントローラ１へ送信する。
【００１５】
なお、照明コントローラ１とワイヤレス照度センサ４０とは直接無線通信可能に構成されているものの他、伝送線２０に受信器（図示しない）を接続しこの受信器及び伝送線を介して接続される構成であってもよいし、無線の中継器（図示しない）を介して接続されていてもよい。
【００１６】
図２に示すように、ワイヤレス照度センサ４０は、本体４０a、自己の識別情報を記憶する記憶部４１、可視光通信信号を受信する受信部４２、照度を検出するセンサ部４３、無線信号を送信する送信部４４、各構成ブロックに電源を供給するバッテリ−部４５、可視光通信信号からＩＤ情報を読み出すとともに、自己の識別情報、センサ部４３で検出した照度情報を送信部４４から一定周期で送信するように制御する制御部４６から構成されている。
ワイヤレス照度センサ４０に記憶される自己の識別情報は、予め設定しておいてもよいし、ディップスイッチ等で設定したものであってもよい。
また、照度を検出するセンサ部４３と受信部４２は一体的に構成してもよい。
【００１７】
図３に示すように、照明コントローラ１はワイヤレス照度センサ４０の識別情報、識別情報に対応する目標照度値、照明器具３０のＩＤ情報が記憶される記憶部２、ワイヤレス照度センサ４０から送信される情報信号を受信する受信部３、伝送線２０に制御信号を送出する伝送部４、受信した情報信号に従って、制御対象となる照明器具のＩＤ情報を含む制御信号を伝送部４から送出させる制御部５によって構成される。
【００１８】
図４に示すように、照明器具３０は制御端末器３１および制御端末器３１によって制御される光源３２を有している。制御端末器３１は、自己のＩＤ情報が記憶される記憶部３１a、伝送線２０から信号を受信する受信部３１b、照明コントローラ１から送出された制御信号に自己のＩＤ情報が含まれる場合に制御信号の内容に従って光源を制御するとともに、自己のＩＤ情報を可視光通信信号として光源３２から送信させるように制御する制御部３１cによって構成されている。
以下、第１の実施形態の照明制御システムの作用について説明する。
【００１９】
伝送線２０に接続された図示しない壁スイッチを操作すると、壁スイッチに割り付けられた照明器具３０に対して照明コントローラ１から点灯制御信号が送出される。点灯制御信号には制御対象となる照明器具３０のＩＤ情報が含まれており、伝送線２０を介して点灯制御信号を受信した照明器具３０は自己のＩＤ情報が含まれている場合には光源３２を点灯制御する。このとき、照明器具３０は自己のＩＤ情報を可視光通信信号として送信する。
ここでは伝送線２０に接続されている照明器具３０のうち照明コントローラ１側から２番目の照明器具３０が点灯制御される場合について説明する。
【００２０】
照明器具３０の照明領域に配置されたワイヤレス照度センサ４０は、照明器具３０から送信された可視光通信信号を受信するとともに照度を検出する。そして、例えば１分周期毎に可視光通信信号に含まれるＩＤ情報、検出した照度情報、自己の識別情報を情報信号として無線で送信する。
一方、同一の照明器具３０の照明領域に配置されたワイヤレス照度センサ４０´も同様に１分間周期で情報信号を送信する。
【００２１】
照明コントローラ１は、ワイヤレス照度センサ４０、４０´から情報信号を受信すると、ＩＤ情報に対応する照度情報を記憶部２に記憶する。ここで、制御信号はワイヤレス照度センサ４０、４０´の送信周期よりも長い周期、ここでは送信周期の２倍となる２分間隔の周期で送出するため、２分間はＩＤ情報に対応する照度情報を保持する。
【００２２】
つまり、ワイヤレス照度センサ４０、４０´は同一の照明器具３０の照明領域に配設されているため、同一のＩＤ情報に対してそれぞれのワイヤレス照度センサ４０、４０´の照度情報が記憶される。また、一つのワイヤレス照度センサ４０、４０´から少なくとも２回照度情報が送られてくるため合計４つの照度情報が送られてくる。
そして、ＩＤ情報に対応する複数の照度情報を平均化し照明器具３０の照明領域の照度情報とする。
【００２３】
次に、ワイヤレス照度センサ４０、４０´の識別情報に対応する目標照度と平均化した照度情報とを比較し、ＩＤ情報とともに照明器具の調光制御信号を伝送線２０に送出する。ここではワイヤレス照度センサ４０と４０´は同一の目標照度であるとする。
【００２４】
伝送線２０に接続された照明器具３０は自己のＩＤ情報を含む調光制御信号を受信すると、光源３２を制御して照明領域が所望の照度値となるように制御される。
【００２５】
このように、照明コントローラ１はワイヤレス照度センサ４０、４０´の送信周期よりも長い周期で一括して制御信号を送出するため、ワイヤレス照度センサ４０、４０´が同一の照明器具３０の照明領域に配置され、異なる照度値を検出したとしても、照明器具３０がちらつくことがない。
【００２６】
また、識別情報に優先順位を設けておき、優先順位の高い目標照度になるようにすれば、それぞれのワイヤレス照度センサ４０、４０´に異なる目標照度が設定されていたとしても照明器具３０がちらつくことがない。この場合も得られた照度情報を平均化することでより正確に照明領域の照度情報を得ることができる。
次に、第２の実施形態について説明する。
【００２７】
第２の実施形態は、第１の実施形態の照明コントローラ１の制御信号を送出する周期をワイヤレス照度センサ４０の送信周期によって設定することを特徴とする。その他の構成については第１の実施形態と同様であるため詳細な説明を省略する。
【００２８】
照明コントローラ１は、所定期間ワイヤレス照度センサ４０から送信されてくる信号を受信しておき、その受信期間を記憶する。つまり、同一の識別情報が含まれる情報信号を２回以上計測することによってワイヤレス照度センサ４０の送信周期を判断する。そして、この送信周期よりも長い期間、例えば２倍以上の周期を制御信号を送出する周期として設定する。
【００２９】
このように、ワイヤレス照度センサ４０から送信される情報信号から制御信号の送出期間を設定するため、ワイヤレス照度センサ４０の送信期間が変更された場合にもただちに対応することができる。なお、個々のワイヤレス照度センサ４０の送信周期が異なる場合には、最も長い送信周期よりも長い期間を制御信号の送出期間とすることが好ましいが、ワイヤレス照度センサ４０の信号が途絶える場合が想定されるため上限期間を設定しておき、送信周期が上限期間を上回る場合、または１回目の情報信号の受信から上限期間を上回っても２回目の信号を受信しない場合にはその識別信号は無視するようにしてもよい。
【００３０】
以上説明したように、照明コントローラ１の制御信号を送出する周期の間に、各ワイヤレス照度センサ４０から少なくとも１回の情報信号を受信することができる。
【００３１】
また、ワイヤレス照度センサ４０に識別情報が設定されるとともに、照明コントローラ１に識別情報に対応する目標照度が設定されている場合について説明したが、照明コントローラ１において、照明器具３０のＩＤ情報に対して目標照度を設定しておき、ワイヤレス照度センサ４０からはＩＤ情報及び照度情報を含む情報信号のみを送信する構成であってもよい。この場合には、ワイヤレス照度センサ４０に識別情報を記憶する必要はない
【図面の簡単な説明】
【００３２】
【図１】照明制御システムの全体的構成図。
【図２】ワイヤレス照度センサの構成を示すブロック図。
【図３】照明コントローラの構成を示すブロック図。
【図４】照明器具の構成を示すブロック図。
【符号の説明】
【００３３】
１…照明コントローラ
３０…照明器具
４０、４０´…ワイヤレス照度センサ
【図１】
2010086686.tif 000003
【図２】
2010086686.tif 000004
【図３】
2010086686.tif 000005
【図４】
2010086686.tif 000006